【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
少なくとも１つのビデオストリーム（ＩＶ１、ＩＶ２）を符号化するための方法であって、
前記少なくとも１つの入力ビデオストリーム（ＩＶ１、ＩＶ２）を受信するステップと、
予測された画素ブロックのシーケンス（ＰＰＢ１、ＰＰＢ２）を構築するステップと、
処理済みの残余画素データのシーケンス（ＱＲＰＤ１、ＱＲＰＤ２）を得るために、前記予測された画素ブロックのシーケンス（ＰＰＢ１、ＰＰＢ２）および前記少なくとも１つの入力ビデオストリーム（ＩＶ１、ＩＶ２）の対応するブロックを処理するステップと
を含み、
前記予測された画素ブロックのシーケンス（ＰＰＢ１、ＰＰＰ２）が、参照入力データ（ＩＲＥＦ）からの入力符号化構造データ（ＩＥＳＤ）から構築され、入力符号化構造データが符号化構造データを含むが、残余画素データを含まず、前記入力符号化構造データ（ＩＥＳＤ）が、さらに、前記処理済みの残余画素データ（ＱＲＰＤ１、ＱＲＰＤ２）と共に結合されたエントロピー符号化ステップに供され、それによって少なくとも１つの符号化済みのビデオストリーム（ＥＶ１、ＥＶ２）を得る、方法。
【請求項２】
前記処理が、前記予測された画素ブロック（ＰＰＢ１、ＰＰＢ２）と前記少なくとも１つの入力ビデオストリーム（ＩＶ１、ＩＶ２）の対応するブロックとの差分から残余画素ブロックのシーケンス（ＲＰＢ１、ＲＰＢ２）を生成するステップと、前記残余画素ブロックのシーケンス（ＲＰＢ１、ＲＰＢ２）を変換および量子化し、それによって、前記処理済みの残余画素データのシーケンス（ＱＲＰＤ１、ＱＲＰＤ２）を得るステップとを含む、請求項１に記載の方法。
【請求項３】
前記参照入力データ（ＩＲＥＦ）をエントロピー復号することによって入力符号化構造データ（ＩＥＳＤ）が前記参照入力データ（ＩＲＥＦ）から導出されるように、前記参照入力データ（ＩＲＥＦ）が、符号化済みの入力符号化構造データ（ＥＩＥＳＤ）を含む、請求項１または２のいずれかに記載の方法。
【請求項４】
前記少なくとも１つの入力ビデオストリーム（ＩＶ１）の構成データを前記入力符号化構造データ（ＩＥＳＤ）と比較するステップをさらに含み、データが一致しない場合、前記少なくとも１つの入力ビデオストリーム（ＩＶ１）がさらに前処理され、それによって、残余画素ブロックが前記予測された画素ブロック（ＰＰＢ１）と前記少なくとも１つの更新済みのビデオストリームの対応するブロックとの差分から決定されるように、少なくとも１つの更新済みの入力ビデオストリーム（ＵＩＶ１）を生成する、請求項１から３のいずれかに記載の方法。
【請求項５】
前記参照入力データ（ＩＲＥＦ）を符号化済みの参照ビデオストリーム（ＥＶＲＥＦ、ＥＶＲＥＦｈ）から抽出するステップをさらに含む、請求項１から４のいずれかに記載の方法。
【請求項６】
前記符号化済みの参照ビデオストリーム（ＥＶＲＥＦ）を提供するために、参照ビデオストリーム（ＶＲＥＦ）を符号化するステップをさらに含む、請求項５に記載の方法。
【請求項７】
前記少なくとも１つの入力ビデオストリーム（ＩＶ１、ＩＶ２）が、前記参照ビデオストリーム（ＶＲＥＦ）および入力修正データ（デルタ１、デルタ２）から生成される、請求項６に記載の方法。
【請求項８】
複数のビデオストリーム（ＩＶ１、ＩＶ２）を符号化するための方法であって、前記符号化済みの参照ビデオストリームを得るためにさらに符号化される前記参照ビデオストリーム（ＶＲＥＦ）として前記ビデオストリーム（ＩＶ１、ＩＶ２）のうちの１つを選択し、それによって他のビデオストリームが請求項５に従ってさらに符号化されるステップを含む、方法。
【請求項９】
少なくとも１つのビデオストリーム（ＩＶ１、ＩＶ２）を符号化するための符号化器（Ｅ１−Ｅ８）であって、前記少なくとも１つの入力ビデオストリーム（ＩＶ１、ＩＶ２）を受信するための少なくとも１つの入力端子（ＩＮ１、ＩＮ２）を含み、予測された画素ブロックのシーケンス（ＰＰＢ１、ＰＰＢ２）を構築し、前記予測された画素ブロックのシーケンス（ＰＰＢ１、ＰＰＢ２）および前記少なくとも１つの入力ビデオストリーム（ＩＶ１、ＩＶ２）の対応するブロックを処理し、それによって処理済みの残余画素データのシーケンス（ＱＰＲＤ１、ＱＰＲＤ２）を得るようにさらに構成され、
参照入力データ（ＩＲＥＦ）を受信するための追加の入力端子（ＩＮＲｅｆ）をさらに含み、前記参照入力データ（ＩＲＥＦ）からの入力符号化構造データ（ＩＥＳＤ）から前記予測された画素ブロックのシーケンス（ＰＰＢ１、ＰＰＢ２）を構築し、入力符号化構造データが符号化構造データを含むが、残余画素データを含まず、前記参照入力データ（ＩＲＥＦ）を前記処理済みの残余画素データ（ＱＰＲＤ１、ＱＰＲＤ２）と結合してエントロピー符号化し、それによって、自らの少なくとも１つの出力端子（ＯＵＴ１、ＯＵＴ２）に提供するための少なくとも１つの符号化済みのビデオストリーム（ＥＶ１、ＥＶ２）を生成するようにさらに構成された、符号化器。
【請求項１０】
エントロピー符号化器と結合器（Ｃ；Ｃ１、Ｃ２）とをさらに備える、請求項９に記載の符号化器（Ｅ１−Ｅ８）。
【請求項１１】
前記予測された画素ブロック（ＰＰＢ１、ＰＰＢ２）と前記少なくとも１つの入力ビデオストリーム（ＩＶ１、ＩＶ２）の対応するブロックとの差分から残余画素ブロックのシーケンス（ＲＰＢ１、ＲＰＢ２）を生成することによって、前記予測された画素ブロック（ＰＰＢ１、ＰＰＢ２）および前記少なくとも１つの入力ビデオストリーム（ＩＶ１、ＩＶ８）の対応するブロックを処理し、前記残余画素ブロックのシーケンス（ＲＰＢ１、ＲＰＢ２）を変換および量子化し、それによって前記処理済みの残余画素データのシーケンス（ＱＲＰＤ１、ＱＲＰＤ２）を得るようにさらに構成される、請求項９または１０に記載の符号化器（Ｅ１−Ｅ８）。
【請求項１２】
前記参照入力データ（ＩＲＥＦ）が、符号化済みの入力符号化構造データ（ＥＩＥＳＤ）を含み、前記符号化器（Ｅ２）が、前記入力符号化構造データ（ＩＥＳＤ）を生成する目的で前記参照入力データ（ＩＲＥＦ）をエントロピー復号するためのエントロピー復号器（ＥＤ１）をさらに備える、請求項９に記載の符号化器（Ｅ２、Ｅ３、Ｅ４、Ε６）。
【請求項１３】
前記少なくとも１つの入力ビデオストリーム（ＩＶ１）の構成データを前記入力符号化構造データ（ＩＥＳＤ）と比較し、データが一致しない場合、前記少なくとも１つの入力ビデオストリーム（ＩＶ１）を前処理し、それによって、前記残余画素ブロック（ＰＰＢ１）が前記予測された画素ブロックと前記少なくとも１つの更新済みの入力ビデオストリーム（ＵＩＶ１）の対応するブロックとの差分から決定されるように少なくとも１つの更新済みの入力ビデオストリーム（ＵＩＶ１）を生成するようにさらに構成される、請求項９から１１のいずれかに記載の符号化器（Ｅ８）。
【請求項１４】
請求項９から１３に記載の符号化器（Ｅ１−Ｅ８）と、前記符号化器（Ｅ１−Ｅ８）に提供するための符号化済みの参照ビデオストリーム（ＥＶＲＥＦ、ＥＶＲＥＦｈ）から前記参照入力データ（ＩＲＥＦ）を抽出するように構成された装置（Ａ、Ｂ）とを含む、第１のシステム（Ａ１）。
【請求項１５】
請求項１４に記載の第１のシステム（Ａ１）と、参照ビデオストリーム（ＶＲＥＦ）を符号化して、そのようにして得られた符号化済みの参照ストリーム（ＥＶＲＥＦ）を前記第１のシステム（Ａ１）に提供するなどするための符号化器（ＥＴ）とを備える、第２のシステム（Ａ２）。
【請求項１６】
請求項１５に記載の第２のシステム（Ａ２）を備え、前記入力参照ビデオストリーム（ＶＲＥＦ）から、および前記第２のシステム（Ａ２）に提供するための入力修正データ（デルタ１、デルタ２）から、前記少なくとも１つの入力ビデオストリーム（ＩＶ１、ＩＶ２）を生成するための少なくとも１つのビデオ結合手段（ＶＣＭ１、ＶＣＭ２）を備える、第３のシステム（Ａ３）。
【請求項１７】
複数の入力ビデオストリーム（ＩＶ１、ＩＶ２）を受信するように構成された第４のシステム（Ａ４；Ａ４ｂ）であって、前記複数の入力ビデオストリーム（ＩＶ１、ＩＶ２）のうちの一方の入力ビデオストリーム（ＩＶ１）を参照ビデオストリームとして選択するための選択手段（Ｓ）を備え、前記参照ビデオストリームを符号化し、それによって、前記第４のシステム（Ａ４、Ａ４ｂ）の第１の出力に提供する目的で、および前記第４のシステム内に備えられた請求項１４に記載の第１のシステム（Ａ１）に提供する目的で、符号化済みの参照ビデオストリーム（ＥＶ１）を生成するための符号化器（ＥＴ）をさらに備え、前記第１のシステムが、前記複数の入力ビデオストリーム（ＩＶ１、ＩＶ２）のうちの他方の入力ビデオストリーム（ＩＶ２）を符号化して、他の符号化済みのビデオストリーム（ＥＶ２）を前記第４のシステム（Ａ４、Ａ４ｂ）の他の出力に提供するようにさらに構成されている、第４のシステム（Ａ４；Ａ４ｂ）。